(57)【要約】【課題】蛍光灯などの照明負荷に供給する電圧の調整を行なう電圧調整装置に関し、装置の小型化を図ると共に、低コストで信頼性の高い電圧調整装置を提供する。【解決手段】第１のスイッチング手段８をスイッチング制御することにより負荷２に出力される電圧を所定の電圧に調整する電圧調整装置３において、第１のスイッチング手段８がターンオフのときに交流電源１間に直列接続された第１のコンデンサ１０および第２のコンデンサ１１の接続点から第２のスイッチング手段１２を介して負荷２に電流を供給するようにした。【選択図】　　　　図１
2004110493.tif 000002
【特許請求の範囲】
【請求項１】
交流電源と負荷との間に配設され、負荷に出力される電圧を所定の電圧に調整する電圧調整装置において、
前記交流電源が入力される入力端子と、
前記負荷に調整された電圧を出力する出力端子と、
この出力端子に出力される電圧の設定を行なう電圧設定手段と、
前記出力端子の電圧を検出する電圧検出手段と、
前記交流電源から前記負荷に供給される電流をスイッチング制御する第１のスイッチング手段と、
前記電圧検出手段で検出した電圧と前記電圧設定手段に設定された電圧に基づいて前記第１のスイッチング手段のスイッチングのタイミングを制御する第１の制御手段と、
前記入力端子間に直列接続された第１のコンデンサおよび第２のコンデンサと、この第１のコンデンサと第２のコンデンサの接続点から前記第１のスイッチング手段の出力端子側に接続された第２のスイッチング手段と、
前記第１のスイッチング手段の両端に接続されこの第１のスイッチング手段に流れる通電電流またはこの第１のスイッチング手段の両端電圧の検出結果に基づいてこの第１のスイッチング手段がターンオフしたときに前記第２のスイッチング手段をターンオンさせ、この第１のスイッチング手段がターンオンしたときに前記第２のスイッチング手段をターンオフさせる第２の制御手段と、を備えたことを特徴とする電圧調整装置。
【請求項２】
第２の制御手段は、第２のスイッチング手段がターンオンした所定の時間後に第２のスイッチング手段に供給するゲートトリガ電流の供給を停止させることを特徴とする請求項１記載の電圧調整装置。
【請求項３】
第２のスイッチング手段の両端の電圧を検出するターンオン検知手段を備え、前記第２のスイッチング手段の両端の電圧が所定値まで低下したときに第２の制御手段が第２のスイッチング手段に供給するゲートトリガ電流の供給を停止させることを特徴とする請求項１記載の電圧調整装置。
【請求項４】
直列接続された第１のコンデンサおよび第２のコンデンサと並列に接続された少なくとも１組のコンデンサと、これらのコンデンサの接続点から前記第１のスイッチング手段の出力端子側に接続されたスイッチング手段とを備えたことを特徴とする請求項１または請求項２記載の電圧調整装置。
【発明の詳細な説明】
【０００１】
【発明の属する技術分野】
本発明は、負荷（例えば蛍光灯などの照明負荷）に供給する電圧の調整を行なう電圧調整装置に関するものである。
【０００２】
【従来の技術】
図７は、例えば特表平８−５０６９１４号公報に示された従来の電圧調整装置のブロック図、図８は図７の電子スイッチに流れる電流波形である。
図７において、３０は電力を供給する交流電源、３１は例えば蛍光灯などの負荷、３２は入力側が交流電源３０に接続され、出力側が負荷３１に接続された電圧調整装置、３３は電圧調整装置３２の入力と出力との間に直列に接続され、負荷３１へ供給される電流をスイッチング制御する電子スイッチ、３４は電子スイッチ３３と並列に接続され電子スイッチ３３がオフしている時に負荷３１に電流を供給するキャパシタである。
【０００３】
３５は照明負荷３１の負荷電力に応答して電力感知信号を発生する電力感知手段、３６は電力感知手段３５の電力感知信号に応答して電子スイッチ３３を導通状態（以下、ターンオン）、または非導通状態（以下、ターンオフ）とする制御信号を発生する制御回路、３７は電子スイッチ３３の両端間の差の電圧を検出し、それに応答して信号を発生する差の電圧感知手段、３８は電子スイッチ３３に並列に接続され、電子スイッチ３３をターンオフするパルススイッチング回路を具備するパルススイッチである。
【０００４】
次に、上記のように構成された従来の電圧調整装置の動作について説明する。
（１）交流電源３０の電圧が印加されると差の電圧感知手段３７が電子スイッチ３３間の０又はほぼ０の電圧を検出し、所定の時間経過後に制御回路３６からの信号によって電子スイッチ３３がターンオン（Ｓ１）される。
【０００５】
（２）次に、交流電源電圧のサイン波の各半サイクルのピーク付近（即ち、９０゜及び２７０゜）で所望の電力レベルに到達したときに、電子スイッチ３３がターンオフ（Ｓ２）して、負荷３１に流れる電流が阻止される。
なお、ここで電子スイッチ３３がピーク付近でターンオフされる位相の調整は、パルススイッチ３８を制御回路３６からの信号によって作動させた後、負荷電流を短時間分路させ、電子スイッチ３３をターンオフさせることにより達成される。
【０００６】
（３）キャパシタ手段３４が、電子スイッチ３３がターンオフしたときに発生する誘導エネルギーを蓄積すると共に、電子スイッチ３３がターンオフしている間、
交流電源３０から負荷３１に交流電流を供給する。
（４）以下、（１）〜（３）と同様にして、ターンオン（Ｓ３）、ターンオフ（Ｓ４）を行なう。
【０００７】
【発明が解決しようとする課題】
従来の電圧調整装置は以上のように構成され、電子スイッチ３３がターンオフしている間、キャパシタ３４を経由して交流電流を負荷３１に流しているが、電子スイッチ３３がターンオフした瞬間、電子スイッチ３３とキャパシタ３４が短絡され、キャパシタ３４から電子スイッチ３３に対してピークスイッチング電流が流れ、電子スイッチ３３が破損するという問題があった。
【０００８】
この対応として、電子スイッチ３３を保護するために、例えば、ピークスイッチング電流を制限する図示しないインダクタをキャパシタ３４に直列に接続することが実施されていたが、この場合、比較的外形が大きいインダクタを装着すると電圧調整装置自体の外形が大型化すると共に、コストアップになり、またインダクタが通電電流によって発熱するため電圧調整装置自身が温度上昇し、信頼性が低下するという課題があった。
【０００９】
本発明は、上記のような課題を解決するためになされたものであり、装置の小型化を図ると共に、低コストで信頼性の高い電圧調整装置を提供することを目的としている。
【００１０】
【課題を解決するための手段】
本発明の電圧調整装置は、交流電源と負荷の間に配設され、負荷に出力される電圧を所定の電圧に調整する電圧調整装置において、前記交流電源が入力される入力端子と、前記負荷に調整された電圧を出力する出力端子と、この出力端子に出力される電圧の設定を行なう電圧設定手段と、前記出力端子の電圧を検出する電圧検出手段と、前記交流電源から前記負荷に供給される電流をスイッチング制御する第１のスイッチング手段と、前記電圧検出手段で検出した電圧と前記電圧設定手段に設定された電圧に基づいて前記第１のスイッチング手段のスイッチングのタイミングを制御する第１の制御手段と、前記入力端子間に直列接続された第１のコンデンサおよび第２のコンデンサと、この第１のコンデンサと第２のコンデンサの接続点から前記第１のスイッチング手段の出力端子側に接続された第２のスイッチング手段と、前記第１のスイッチング手段の両端に接続されこの第１のスイッチング手段に流れる通電電流またはこの第１のスイッチング手段の両端電圧の検出結果に基づいてこの第１のスイッチング手段がターンオフしたときに前記第２のスイッチング手段をターンオンさせ、この第１のスイッチング手段がターンオンしたときに前記第２のスイッチング手段をターンオフさせる第２の制御手段とを備えたものである。
【００１１】
また、第２の制御手段は、第２のスイッチング手段がターンオンした所定の時間後に第２のスイッチング手段に供給するゲートトリガ電流の供給を停止させるものである。
【００１２】
また、第２のスイッチング手段の両端の電圧を検出するターンオン検知手段を備え、前記第２のスイッチング手段の両端の電圧が所定値まで低下したときに第２の制御手段が第２のスイッチング手段に供給するゲートトリガ電流の供給を停止させるものである。
【００１３】
また、入力端子間に直列接続された第１のコンデンサおよび第２のコンデンサと並列に接続された少なくとも１組のコンデンサと、これらのコンデンサの接続点から前記第１のスイッチング手段の出力端子側に接続されたスイッチング手段とを備えたものである。
【００１４】
【発明の実施の形態】
実施の形態１．
図１は、この発明の実施の形態１による電圧調整装置を示すブロック図である。
図２は、図１の第１のスイッチング手段に流れる電流波形である。
図３は、図１の負荷に流れる電流波形である。
【００１５】
図１において、１は交流電源、２は例えば蛍光灯などの照明負荷である。
３は交流電源１から負荷２へ出力される電圧を位相制御する電圧調整装置で、入力端子４、出力端子５、負荷２の両端に接続され出力端子５間に出力される電圧を検出する電圧検出手段６、出力端子５から出力される電圧を設定する電圧設定手段７、入力端子４と出力端子５の間に接続され交流電源１から負荷２に供給される電流をスイッチング制御する、例えばトライアックである第１のスイッチング手段８、電圧検出手段６で検出した電圧と電圧設定手段７に設定された電圧に基づいて電圧検出手段６により検出された電圧が電圧設定手段７で設定された目標値になるように第１のスイッチング手段８のスイッチングタイミングを制御する第１の制御手段９、入力端子４間に直列に接続された第１のコンデンサ１０及び第２のコンデンサ１１、第１のコンデンサ１０と第２のコンデンサ１１との接続点から第１のスイッチング手段８の出力端子５側に接続された第２のスイッチング手段１２、第１のスイッチング手段８の両端に接続され第１のスイッチング手段８に流れる電流又は第１のスイッチング手段８の両端電圧を検出し第１のスイッチング手段８のターンオン、ターンオフに基づいて第２のスイッチング手段１２をターンオフ、ターンオンさせる第２の制御手段１３とを備えている。
【００１６】
なお、上記説明において、第１のスイッチング手段８及び第２のスイッチング手段１２はトライアックで構成させたが、トライアックの代りにサイリスタを２個逆並列に接続するか、またはＩＧＢＴ（Ｉｎｓｕｌａｔｅｄ．Ｇａｔｅ．Ｂｉｐｏｌａｒ．Ｔｒａｎｓｉｓｔｏｒ）を用いてもよい。
【００１７】
次に以上のように構成されたこの発明の実施の形態１による電圧調整装置の動作について図１〜図３を用いて説明する。
（１）負荷２に出力される電圧を電圧設定手段７に設定する。
（２）交流電源１から第１のスイッチング手段８を介して負荷２に電流が通電（図２　Ｓ１０　及び　図３　Ｓ１０）される
（３）第１のスイッチング手段８に通電される電流がゼロとなると、第１のスイッチング手段８がターンオフ（図２　Ｓ１１）する。
【００１８】
（４）第２の制御手段１３が第１のスイッチング手段８がターンオフしたことを検出し、第２のスイッチング手段１２をターンオン（図３　Ｓ１２）させ、第１のコンデンサ１０を介して負荷２に電流が供給（図１　Ｉ１及び図３　Ｓ１３）される。
なお、この時、交流電源１に対して第１のコンデンサ１０と直列に第２のコンデンサ１１が挿入されているので、第１のコンデンサ１０には第１のコンデンサ１０と第２のコンデンサ１１の静電容量に基づくインピーダンス比で分圧された電圧が印加されている。
【００１９】
（５）第１の制御手段９は電圧設定手段７に設定した電圧設定値に基づいて、所定の時間（図２　Ｔ１）経過後、第１のスイッチング手段８をターンオン（図２
Ｓ１４）させる。
（６）第２の制御手段１３は第１のスイッチング手段８がターンオンしたことを検出した後、第２のスイッチング手段１２をターンオフ（図３Ｓ　１５）させる。
（７）交流電源１から負荷２に電流が通電（図３　Ｓ１６）される。
【００２０】
（８）第１のスイッチング手段８に通電される電流がゼロになると、第１のスイッチング手段はターンオフ（図２　Ｓ１７）する。
（９）第２の制御手段１３は第１のスイッチング手段８がターンオフしたことを検出し、第２のスイッチング手段１２をターンオン（図３　Ｓ１８）させる。
（１０）第２のスイッチング手段１２がターンオンすることで、第１のコンデンサ１０を介して負荷２に対して電流が供給（図１　Ｉ２及び図３　Ｓ１９）される。
【００２１】
（１１）第１の制御手段９は電圧設定手段７に設定した電圧設定値に基づき所定の時間（図２　Ｔ２）後、第１のスイッチング手段８をターンオン（図２　Ｓ２０）させる。
（１２）第２の制御手段１３は第１のスイッチング手段８がターンオンしたことを検出した後、第２のスイッチング手段１２をターンオフ（図３　Ｓ２１）する。
【００２２】
（１３）交流電源１から第１のスイッチング手段８を介して負荷２に電流が通電（図３　Ｓ２２）される。
（１４）以下、同様にＳ１１〜Ｓ２２が繰り返される。
（１５）上記の動作過程において電圧検出手段６は、負荷２に印加される電圧を検出しており、電圧設定手段７に設定された電圧になるように第１の制御手段９によって第１のスイッチング手段８が制御される。
【００２３】
以上のように構成されたこの発明の実施の形態１によれば、第１のスイッチング手段８がターンオフされたときに、第１のコンデンサ１０を介して負荷２に対して電流が供給されるので、負荷２に対して連続した電流が供給され、例えば蛍光灯のような照明負荷を位相制御する際に、負荷２が点滅を繰り返すことにより生じるチラツキ現象を小さくすることが出来る。
【００２４】
また、第１のコンデンサ１０に印加される電圧は第１のコンデンサ１０と第２のコンデンサ１１の静電容量に基づくインピーダンス比で分圧されており、第１のスイッチング手段８がターンオフした瞬間に第１のコンデンサ１０に充電されていた電荷が第２のスイッチング手段１２を介して第１のスイッチング手段８にピークスイッチング電流が流れたときに、その電流値が低いので第１のスイッチング手段８が破損することがない。また、その電流を制限するためのインダクタが不要となり、低コスト化及び信頼性を向上させるという効果がある。
【００２５】
実施の形態２．
図４は、この発明の実施の形態２による電圧調整装置を示すブロック図である。
図において、３ａは電圧調整装置、１４は第２のスイッチング手段１２の両端に接続されたターンオン検知手段である。
なお、１、２、４〜１３はこの発明の実施の形態１による電圧調整装置と同様であり、同一番号を付し説明を省略する。
【００２６】
以上の様に構成された電圧調整装置３ａは、上述した実施の形態１のＳ１２及びＳ１８において、第２のスイッチング手段１２がターンオンすると、ターンオン検知手段１４が第２のスイッチング手段１２の両端の電圧を検出し、この電圧が所定値、例えば２Ｖまで低下したときに第２の制御手段１３に信号を出力し、第２の制御手段１３は第２のスイッチング手段１２に供給するゲートトリガ電流の供給を停止させる。
【００２７】
以上のように構成されたこの発明の実施の形態２によれば、第２の制御手段１３が第２のスイッチング手段１２に供給するゲート電流をターンオン後に停止するので、消費電力を削減するという効果がある。
【００２８】
なお、上記の実施の形態２ではターンオン検知手段１４によって、第２のスイッチング手段１２の両端の電圧を検出し、この電圧が所定値まで低下したときに第２の制御手段１３に信号を出力し、第２の制御手段１３が第２のスイッチング手段１２に供給するゲートトリガ電流の供給を停止させるようにしたが、ターンオン検知手段１４を配設しない（実施の形態１と同構成）で第２のスイッチング手段１２がターンオン可能な所定の時間を経過した後、第２の制御手段１３が第２のスイッチング手段１２に供給するゲートトリガ電流の供給を停止させるようにしても良い。
【００２９】
実施の形態３．
図５は、この発明の実施の形態３による電圧調整装置を示すブロック図、図６は、図５の負荷に流れる電流波形である。
図５において、３ｂは電圧調整装置、１５は第１のスイッチング手段８の両端に接続され第１のスイッチング手段８に流れる電流又は第１のスイッチング手段８の両端電圧を検出し第１のスイッチング手段８のターンオン、ターンオフに基づいて第２のスイッチング手段１２及び後述の第３のスイッチング手段１８をターンオフ、ターンオンさせる第３の制御手段である。
【００３０】
１６及び１７は入力端子４間に直列に接続される第３のコンデンサおよび第４のコンデンサ、１８は第３のコンデンサ１６、第４のコンデンサ１７の接続点から第１のスイッチング手段８の出力端子側に接続される第４のスイッチング手段である。
なお、１、２、４〜１２はこの発明の実施の形態１による電圧調整装置と同様であり、同一番号を付し説明を省略する。
【００３１】
また、第３のコンデンサ１６と第４のコンデンサ１７との静電容量比は、第１のコンデンサ１０と第２のコンデンサ１１との静電容量比と異なるものとし、第３のコンデンサ１６経由で負荷２に流される電流と、第１のコンデンサ１０経由で負荷２に流される電流との間で位相差を生じさせるものとする。
【００３２】
次に、以上のように構成されたこの発明の実施の形態３による電圧調整装置の動作について図５および図６を用いて説明する。
（１）負荷２に出力される電圧を電圧設定手段７に設定する。
（２）交流電源１から第１のスイッチング手段８を介して負荷２に電流が通電（図５　Ｓ３０）される。
【００３３】
（３）第１のスイッチング手段８に通電される電流がゼロとなると、第１のスイッチング手段８はターンオフ（図６　Ｓ３１）する。
（４）第３の制御手段１５は第１のスイッチング手段８がターンオフしたことを検出し、第２のスイッチング手段１２をターンオン（図６　Ｓ３２）させ、第１のコンデンサ１０を介して負荷２に電流が供給（図５　Ｉ３及び図６　Ｓ３３）される。
【００３４】
なお、この時、交流電源１に対して第１のコンデンサ１０と直列に第２のコンデンサ１１が挿入されているので、第１のコンデンサ１０には第１のコンデンサ１０と第２のコンデンサ１１の静電容量に基づくインピーダンス比で分圧された電圧が印加されている。
【００３５】
（５）第３の制御手段１５は、第３のスイッチング手段１８をターンオン（図６Ｓ３４）させた後、引き続き、第２のスイッチング手段１２をターンオフさせる。
（６）第３のスイッチング手段１８がターンオンすることで、第３のコンデンサ１６を介して負荷２に対して電流が供給（図５　Ｉ４及び図６　Ｓ３５）される。
なお、この時、交流電源１に対して第３のコンデンサ１６と直列に第４のコンデンサ１７が挿入されているので、第３のコンデンサ１６には第３のコンデンサ１６と第４のコンデンサ１７の静電容量に基づくインピーダンス比で分圧された電圧が印加されている。
【００３６】
（７）第１の制御手段９は電圧設定手段７に設定した電圧設定値に基いて、所定の時間（図６　Ｔ３）後、第１のスイッチング手段８をターンオン（図６　Ｓ３６）させる。
（８）第３の制御手段１５は第１のスイッチング手段８がターンオンしたことを検出した後、第２のスイッチング手段１２および第３のスイッチング手段１８の両方をターンオフ（図６　Ｓ３７）する。
【００３７】
（９）交流電源１から第１のスイッチング手段８を介して負荷２に電流が通電（図６　Ｓ３８）される。
【００３８】
（１０）第１のスイッチング手段８に通電される電流がゼロとなると、第１のスイッチング手段８はターンオフ（図６　Ｓ３９）する。
（１１）第３の制御手段１５は第１のスイッチング手段８がターンオフしたことを検出し、第２のスイッチング手段１２をターンオン（図６　Ｓ４０）させ、第１のコンデンサ１０を介して負荷２に電流が供給（図５　Ｉ５及び図６　Ｓ４１）される。
【００３９】
（１２）第３の制御手段１５は、第３のスイッチング手段１８をターンオン（図６　Ｓ４２）させた後に、引き続き第２のスイッチング手段１２をターンオフさせる。
（１３）第３のスイッチング手段１８がターンオンすることで、第３のコンデンサ１６を介して負荷２に対して電流が供給（図５　Ｉ６及び図６　Ｓ４３）される。
（１４）第１の制御手段９は電圧設定手段７に設定した電圧設定値に基いて、所定の時間（図６　Ｔ４）後、第１のスイッチング手段８をターンオン（図６　Ｓ４４）させる。
【００４０】
（１５）第３の制御手段１５は第１のスイッチング手段８がターンオンしたことを検出した後、第２のスイッチング手段１２および第３のスイッチング手段１８の両方をターンオフ（図６　Ｓ４５）させる。
（１６）交流電源１から第１のスイッチング手段８を介して負荷２に電流が通電（図６　Ｓ４６）される。
（１７）上記の動作過程において電圧検出手段６は、負荷２に印加される電圧を検出しており、電圧設定手段７に設定された電圧になるように第１の制御手段９によって第１のスイッチング手段８が制御される。
【００４１】
以上のように構成されたこの発明の実施の形態３によれば、第１のスイッチング手段８がターンオフの間、第１のコンデンサ１０経由で供給される電流と位相の異なる電流を第３のコンデンサ１６経由で負荷２に供給することで、負荷２に供給する電流をより正弦波に近づけることが出来るので、例えば蛍光灯のような照明負荷を位相制御する際に、負荷２が点滅を繰り返すことにより生じるチラツキ現象を実施の形態１よりも小さくすることが出来る。
【００４２】
なお、上記実施例は、入力端子４間に直列接続された２組のコンデンサ（第１のコンデンサ１０と第２のコンデンサ１１及び第３のコンデンサ１６と第４のコンデンサ１７）とこの夫々のコンデンサの接続点から第１のスイッチング手段８の出力端子側に接続されたスイッチング手段（第２のスイッチング手段１３及び第３のスイッチング手段１８）を配設したが、同様にして３組以上のコンデンサ、スイッチング手段を配設しても良い。
【００４３】
【発明の効果】
以上のように、本発明によれば、交流電源が入力される入力端子と、負荷に調整された電圧を出力する出力端子と、この出力端子に出力される電圧の設定を行なう電圧設定手段と、出力端子の電圧を検出する電圧検出手段と、交流電源から負荷に供給される電流をスイッチング制御する第１のスイッチング手段と、電圧検出手段で検出した電圧と電圧設定手段に設定された電圧に基づいて第１のスイッチング手段のスイッチングのタイミングを制御する第１の制御手段と、入力端子間に直列接続された第１のコンデンサおよび第２のコンデンサと、この第１のコンデンサと第２のコンデンサの接続点から第１のスイッチング手段の出力端子側に接続された第２のスイッチング手段と、第１のスイッチング手段の両端に接続されこの第１のスイッチング手段に流れる通電電流またはこの第１のスイッチング手段の両端電圧の検出結果に基づいてこの第１のスイッチング手段がターンオフしたときに第２のスイッチング手段をターンオンさせ、この第１のスイッチング手段がターンオンしたときに第２のスイッチング手段をターンオフさせる第２の制御手段とを備えたので、第１のスイッチング手段がターンオフされたときに、第１のコンデンサを介して負荷に対して電流が供給されるので、負荷に対して連続した電流が供給され、例えば蛍光灯のような照明負荷を位相制御する際に、照明負荷が点滅を繰り返すことにより生じるチラツキ現象を小さくすることが出来る。また、第１のコンデンサに印加される電圧は第１のコンデンサと第２のコンデンサの静電容量に基づくインピーダンス比で分圧されており、第１のスイッチング手段がターンオフした瞬間に第１のコンデンサに充電されていた電荷が第２のスイッチング手段を介して第１のスイッチング手段にピークスイッチング電流が流れたときに、その電流値が低いので第１のスイッチング手段が破損することがない。さらにまた、その電流を制限するためのインダクタが不要となり、低コスト化及び信頼性を向上させるという効果がある。
【００４４】
また、第２の制御手段は、第２のスイッチング手段がターンオンした所定の時間後に第２のスイッチング手段に供給するゲートトリガ電流の供給を停止させるようにしたので、第２の制御手段が第２のスイッチング手段に供給するゲート電流を停止するので、消費電力を削減することができる。
【００４５】
また、第２のスイッチング手段の両端の電圧を検出するターンオン検知手段を備え、前記第２のスイッチング手段の両端の電圧が所定値まで低下したときに第２の制御手段が第２のスイッチング手段に供給するゲートトリガ電流の供給を停止させるようにしたので、第２の制御手段が第２のスイッチング手段に供給するゲート電流を停止するので、消費電力を削減することができる。
【００４６】
また、入力端子側に直列接続された第１のコンデンサおよび第２のコンデンサと並列に接続された少なくとも１組のコンデンサと、これらのコンデンサの接続点から第１のスイッチング手段の出力端子側に接続されたスイッチング手段とを備えたので、負荷に供給する電流が連続的になり、例えば蛍光灯のような照明負荷を位相制御する際に、照明負荷が点滅を繰り返すチラツキ現象を大幅に小さくすることが出来る。
【図面の簡単な説明】
【図１】この発明の実施の形態１による電圧調整装置を示すブロック図である。
【図２】図１の第１のスイッチング手段に流れる電流波形である。
【図３】図１の負荷に流れる電流波形である。
【図４】この発明の実施の形態２による電圧調整装置を示すブロック図である。
【図５】この発明の実施の形態３による電圧調整装置を示すブロック図である。
【図６】図５の負荷に流れる電流波形である。
【図７】従来の電圧調整装置を示すブロック図である。
【図８】図７の電子スイッチに流れる電流波形である。
【符号の説明】
１　交流電源、２　負荷、３　電圧調整装置、４　入力端子、５　出力端子、
６　電圧検出手段、７　電圧設定手段、８　第１のスイッチング手段、
９　第１の制御手段、１０　第１のコンデンサ、　１１　第２のコンデンサ、
１２　第２のスイッチング手段、１３　第２の制御手段、１４　ターンオン手段、
１５　第３の制御手段、１６　第３のコンデンサ、　１７　第４のコンデンサ、１８　第３のスイッチング手段。
【図１】
2004110493.tif 000003
【図２】
2004110493.tif 000004
【図３】
2004110493.tif 000005
【図４】
2004110493.tif 000006
【図５】
2004110493.tif 000007
【図６】
2004110493.tif 000008
【図７】
2004110493.tif 000009
【図８】
2004110493.tif 000010